(57)【要約】      （修正有）【課題】エネルギーの使用量を削減するための建物の運用方法などの改善をするための情報の選択が支援できる運用指針選択支援システムを提供する。【解決手段】運用指針選択支援システム１００において、条件取得部１０１は、規模、付帯設備、および立地環境を含む建物条件を比較対象となる複数の比較建物毎に取得する。評価値取得部１０２は、エネルギー使用量より算出される評価値を複数の比較建物毎に取得する。類似度算出部１０４は、条件取得部１０１が取得した建物条件をもとに複数の比較建物の各々と評価対象の対象建物との類似度を各々算出する。第１表示制御部１０５は、複数の比較建物の識別情報を、評価値および類似度とともに表示部１０８に表示する。【選択図】図１
2019114082.tif 000002
【特許請求の範囲】
【請求項１】
規模、付帯設備、および立地環境を含む建物条件を比較対象となる複数の比較建物毎に取得するように構成された条件取得部と、
エネルギー使用量より算出される評価値を前記複数の比較建物毎に取得するように構成された評価値取得部と、
建物の運用方法および付帯設備の制御方法を含む建物情報を前記複数の比較建物毎に取得するように構成された建物情報取得部と、
前記建物条件をもとに前記複数の比較建物の各々と評価対象の対象建物との類似度を各々算出するように構成された類似度算出部と、
前記複数の比較建物の識別情報を、前記評価値および前記類似度とともに表示部に表示するように構成された第１表示制御部と、
前記第１表示制御部により前記表示部に表示された前記複数の比較建物の識別情報の中より選択された選択比較建物の前記建物情報を前記建物情報取得部より取り出して前記表示部に表示するように構成された第２表示制御部と
を備えることを特徴とする運用指針選択支援システム。
【請求項２】
請求項１記載の運用指針選択支援システムにおいて、
前記建物条件を前記複数の比較建物毎に記憶するように構成された条件記憶部を備え、
前記条件取得部は、前記条件記憶部より前記複数の比較建物の前記建物条件を取得する
ことを特徴とする運用指針選択支援システム。
【請求項３】
請求項２記載の運用指針選択支援システムにおいて、
前記条件記憶部は、前記複数の比較建物の各々に設置されて前記条件取得部とネットワークを介して接続され、
前記条件取得部は、前記ネットワークを介して前記条件記憶部より前記建物条件を取得する
ことを特徴とする運用指針選択支援システム。
【請求項４】
請求項１〜３のいずれか１項に記載の運用指針選択支援システムにおいて、
前記建物情報を前記複数の比較建物毎に記憶するように構成された建物情報記憶部を備え、
前記建物情報取得部は、前記建物情報記憶部より前記建物情報を取得する
ことを特徴とする運用指針選択支援システム。
【請求項５】
請求項４記載の運用指針選択支援システムにおいて、
前記建物情報記憶部は、前記複数の比較建物の各々に設置されて前記建物情報取得部とネットワークを介して接続され、
前記建物情報取得部は、前記ネットワークを介して前記建物情報記憶部より前記建物情報を取得する
ことを特徴とする運用指針選択支援システム。
【請求項６】
請求項１〜５のいずれか１項に記載の運用指針選択支援システムにおいて、
前記評価値を記憶する評価値記憶部を備え、
前記評価値取得部は、前記評価値記憶部より前記評価値を取得する
ことを特徴とする運用指針選択支援システム。
【請求項７】
請求項１〜５のいずれか１項に記載の運用指針選択支援システムにおいて、
前記エネルギー使用量より前記評価値を算出するように構成された評価値算出部を更に備え、
前記評価値取得部は、前記評価値算出部が算出した前記評価値を取得する
ことを特徴とする運用指針選択支援システム。
【請求項８】
請求項１〜７のいずれか１項に記載の運用指針選択支援システムにおいて、
前記第１表示制御部は、前記評価値および前記類似度をもとに、前記複数の比較建物の識別情報を分類して前記表示部に表示する
ことを特徴とする運用指針選択支援システム。
【発明の詳細な説明】
【技術分野】
【０００１】
本発明は、建物における省エネルギーのための運用の指針を支援する運用指針選択支援システムに関する。
【背景技術】
【０００２】
従来では、建物の管理においては、省エネルギーが重要な課題となっている。このためには、例えば、より効率的に空調が実施できる空調設備を導入することで、建物におけるエネルギーの使用量が削減でき、省エネルギーを実現することができる。また、例えば、建物の空調の運用や制御の変更によって、建物におけるエネルギーの使用量を削減して省エネルギーを実現することも考えられる。
【先行技術文献】
【特許文献】
【０００３】
【特許文献１】特開２０１４−１３４９６６号公報
【発明の概要】
【発明が解決しようとする課題】
【０００４】
ここで、新たな空調設備の導入は、コストがかかるため、運用や制御の変更によってエネルギーの使用量を削減することが好ましい。しかしながら、運用や制御の改善は、担当者の経験などに依存することが多く、経験が少ない担当者の場合、改善をすることが容易に実施できないという問題があった。
【０００５】
本発明は、以上のような問題点を解消するためになされたものであり、エネルギーの使用量を削減するための建物の運用方法などの改善をするための情報の選択が支援できるようにすることを目的とする。
【課題を解決するための手段】
【０００６】
本発明に係る運用指針選択支援システムは、規模、付帯設備、および立地環境を含む建物条件を比較対象となる複数の比較建物毎に取得するように構成された条件取得部と、エネルギー使用量より算出される評価値を複数の比較建物毎に取得するように構成された評価値取得部と、建物の運用方法および付帯設備の制御方法を含む建物情報を複数の比較建物毎に取得するように構成された建物情報取得部と、建物条件をもとに複数の比較建物の各々と評価対象の対象建物との類似度を各々算出するように構成された類似度算出部と、複数の比較建物の識別情報を、評価値および類似度とともに表示部に表示するように構成された第１表示制御部と、第１表示制御部により表示部に表示された複数の比較建物の識別情報の中より選択された選択比較建物の建物情報を建物情報取得部より取り出して表示部に表示するように構成された第２表示制御部とを備える。
【０００７】
上記運用指針選択支援システムにおいて、建物条件を複数の比較建物毎に記憶するように構成された条件記憶部を備え、条件取得部は、条件記憶部より複数の比較建物の建物条件を取得すればよい。また、条件記憶部は、複数の比較建物の各々に設置されて条件取得部とネットワークを介して接続され、条件取得部は、ネットワークを介して条件記憶部より建物条件を取得するようにしてもよい。
【０００８】
上記運用指針選択支援システムにおいて、建物情報を複数の比較建物毎に記憶するように構成された建物情報記憶部を備え、建物情報取得部は、建物情報記憶部より建物情報を取得すればよい。また、建物情報記憶部は、複数の比較建物の各々に設置されて建物情報取得部とネットワークを介して接続され、建物情報取得部は、ネットワークを介して建物情報記憶部より建物情報を取得するようにしてもよい。
【０００９】
上記運用指針選択支援システムにおいて、評価値を記憶する評価値記憶部を備え、評価値取得部は、評価値記憶部より評価値を取得するようにすればよい。
【００１０】
上記運用指針選択支援システムにおいて、エネルギー使用量より評価値を算出するように構成された評価値算出部を更に備え、評価値取得部は、評価値算出部が算出した評価値を取得するようにしてもよい。
【００１１】
上記運用指針選択支援システムにおいて、第１表示制御部は、評価値および類似度をもとに、複数の比較建物の識別情報を分類して表示部に表示するようにするとよい。
【発明の効果】
【００１２】
以上説明したように、本発明によれば、複数の比較建物の識別情報を、評価値および類似度とともに表示し、また、建物情報を表示するので、エネルギーの使用量を削減するための建物の運用方法などの改善をするための情報の選択が支援できるという優れた効果が得られる。
【図面の簡単な説明】
【００１３】
【図１】図１は、本発明の実施の形態１における運用指針選択支援システムの構成を示す構成図である。
【図２】図２は、本発明の実施の形態２における運用指針選択支援システムの構成を示す構成図である。
【図３】図３は、発明の実施の形態における運用指針選択支援システムのハードウエア構成を示す構成図である。
【発明を実施するための形態】
【００１４】
以下、本発明の実施の形態について説明する。
【００１５】
［実施の形態１］
はじめに、本発明の実施の形態１における運用指針選択支援システム１００について、図１を参照して説明する。運用指針選択支援システム１００は、条件取得部１０１、評価値取得部１０２、建物情報取得部１０３、類似度算出部１０４、第１表示制御部１０５、第２表示制御部１０６、評価値記憶部１０７、表示部１０８、入力部１０９を備える。また、運用指針選択支援システム１００は、ネットワーク１４１を介し、比較対象となる複数の比較建物に設置されているサーバ１３０に接続している。サーバ１３０は、条件記憶部１３１、建物情報記憶部１３２を備える。
【００１６】
条件取得部１０１は、規模、付帯設備、および立地環境を含む建物条件を比較対象となる複数の比較建物毎に取得する。例えば、規模は、建物の延床面積、収容人数、平均利用人数などである。付帯設備は、建物で用いられている熱源設備、空調設備などである。立地環境は、建物が立地されている地域における気温、湿度、天候などである。例えば、サーバ１３０の条件記憶部１３１には、サーバ１３０が設置されている比較建物の建物条件が記憶されている。条件取得部１０１は、条件記憶部１３１より建物条件を取得する。なお、運用指針選択支援システム１００が、条件記憶部を備えるようにしてもよい。
【００１７】
評価値取得部１０２は、エネルギー使用量より算出される評価値を複数の比較建物毎に取得する。評価値は、例えば、建物のエネルギー原単位より算出できる。また、評価値は、建物の炭酸ガス排出量より算出できる。例えば、評価値は、予め算出されて評価値記憶部１０７に記憶され、評価値取得部１０２は、評価値記憶部１０７より評価値を取得する。
【００１８】
建物情報取得部１０３は、建物の運用方法および付帯設備の制御方法を含む建物情報を複数の比較建物毎に取得する。建物情報は、例えば、比較建物で採用されている空調の起動制御、可変送水温度制御などの制御方法や、昼休みに照明を停止しているなどの運用方法などである。例えば、サーバ１３０の建物情報記憶部１３２には、サーバ１３０が設置されている比較建物の建物情報が記憶されている。建物情報取得部１０３は、建物情報記憶部１３２より建物情報を取得する。なお、運用指針選択支援システム１００が、建物情報記憶部を備えるようにしてもよい。
【００１９】
類似度算出部１０４は、条件取得部１０１が取得した建物条件をもとに複数の比較建物の各々と評価対象の対象建物との類似度を各々算出する。取得された規模、付帯設備、および立地環境などの建物条件より、公知の方法により類似度が算出できる（特許文献１参照）。なお、類似度算出部１０４が類似度算出に用いる建物条件は、入力部１０９から入力された選択指示により選択された建物条件としてもよい。
【００２０】
第１表示制御部１０５は、複数の比較建物の識別情報を、評価値および類似度とともに表示部１０８に表示する。例えば、第１表示制御部１０５は、評価値および類似度をもとに、複数の比較建物の識別情報を分類して表示部１０８に表示する。また、第２表示制御部１０６は、表示制御部により表示部１０８に表示された比較建物について、建物情報を表示する。第２表示制御部１０６は、入力部１０９より入力された選択指示により選択された比較建物（選択比較建物）の識別情報に対応する建物情報を、建物情報取得部１０３より取り出して表示部１０８に表示する。
【００２１】
上述した運用指針選択支援システム１００によれば、自建物と建物条件の類似度が高い比較建物の情報が、評価値とともに表示部１０８に表示されるようになる。従って、自建物と同程度の建物条件であっても、自建物より評価値が高い比較建物の存在を知ることができる。また、表示部１０８には、比較建物の建物情報も表示されるので、自建物より評価値が高い比較建物における建物の運用方法および付帯設備の制御方法などを知ることができる。
【００２２】
自建物よりも評価値が高い比較建物における運用方法や制御方法は、自建物よりも、省エネルギーの観点で優れているものと考えられる。従って、自建物においても、評価値の高い比較建物と同様の運用方法や制御方法を採用すれば、より効率的な省エネルギーが実現できるようになる。このように、上述した運用指針選択支援システム１００によれば、エネルギーの使用量を削減するための建物の運用方法などの改善をするための情報の選択が支援できるようになる。
【００２３】
［実施の形態２］
次に、本発明の実施の形態２における運用指針選択支援システム１００ａについて、図２を参照して説明する。運用指針選択支援システム１００ａは、条件取得部１０１、評価値取得部１０２、建物情報取得部１０３、類似度算出部１０４、第１表示制御部１０５、第２表示制御部１０６、評価値記憶部１０７、表示部１０８、入力部１０９を備える。また、運用指針選択支援システム１００ａは、ネットワーク１４１を介し、比較対象となる複数の比較建物に設置されているサーバ１３０に接続している。サーバ１３０は、条件記憶部１３１、建物情報記憶部１３２を備える。
【００２４】
上述した構成は、前述した実施の形態１と同様である。実施の形態２では、運用指針選択支援システム１００ａが、更に、評価値算出部１１０を備える。評価値算出部１１０は、エネルギー使用量より評価値を算出する。実施の形態２では、評価値取得部１０２は、評価値算出部１１０が算出した評価値を取得する。例えば、評価値算出部１１０が算出した評価値は、評価値記憶部１０７に一時記憶され、評価値記憶部１０７に記憶された評価値を、評価値取得部１０２が取得する。
【００２５】
実施の形態２においても、前述した実施の形態１と同様に、自建物と建物条件の類似度が高い比較建物の情報が、評価値とともに表示部１０８に表示される。表示部１０８には、比較建物の建物情報も表示される。この結果、運用指針選択支援システム１００ａにおいても、エネルギーの使用量を削減するための建物の運用方法などの改善をするための情報の選択が支援できるようになる。
【００２６】
なお、上述した実施の形態における運用指針選択支援システムは、図３に示すように、ＣＰＵ（Central Processing Unit；中央演算処理装置）２０１と主記憶装置２０２と外部記憶装置２０３とネットワーク接続装置２０４となどを備えたコンピュータ機器であり、主記憶装置に展開されたプログラムによりＣＰＵ２０１が動作することで、上述した各機能が実現される。ネットワーク接続装置２０４は、ネットワーク２０５に接続する。また、各機能は、複数のコンピュータ機器に分散させるようにしてもよい。
【００２７】
以上に説明したように、本発明によれば、複数の比較建物の識別情報を、評価値および類似度とともに表示し、また、建物情報を表示するので、エネルギーの使用量を削減するための建物の運用方法などの改善をするための情報の選択が支援できるようになる。
【００２８】
なお、本発明は以上に説明した実施の形態に限定されるものではなく、本発明の技術的思想内で、当分野において通常の知識を有する者により、多くの変形および組み合わせが実施可能であることは明白である。例えば、選択指示の入力や、自建物と建物条件の類似度が高い比較建物の情報、評価値、建物情報の表示を、ウエブページ上で行えるようにしてもよい。
【符号の説明】
【００２９】
１００…運用指針選択支援システム、１０１…条件取得部、１０２…評価値取得部、１０３…建物情報取得部、１０４…類似度算出部、１０５…第１表示制御部、１０６…第２表示制御部、１０７…評価値記憶部、１０８…表示部、１０９…入力部、１３０…サーバ、１３１…条件記憶部、１３２…建物情報記憶部、１４１…ネットワーク。
【図１】
2019114082.tif 000003
【図２】
2019114082.tif 000004
【図３】
2019114082.tif 000005